(57)【要約】【課題】ＬＡＮにおけるデータのバックアップのためのデータ容量を容易に増大させることのできる光ディスクチェンジャ装置を提供する。【解決手段】光ディスクチェンジャ装置４０が、ＬＡＮ１に接続可能なインタフェース４１と、ＬＡＮ１との間での情報の入出力を制御し、及び、光ディスク記録手段４７に接続され、光ディスク記録手段４７との間での情報の入出力を制御する入出力制御手段４３と、所定の記録手段２１に記録されている情報を所定のタイミングで監視する情報監視手段４４と、情報監視手段４４による監視結果に基づいて、記録手段２１に記録されている情報のうちのバックアップ条件を満たす情報を、入出力制御手段４３に対して記録手段２１から読み出させ且つ光ディスク記録手段４７へ当該情報の書き込み要求を行わせるバックアップ処理を行うバックアップ処理手段４５とを備える。【選択図】図１
2007272319.tif 000002
【特許請求の範囲】
【請求項１】
光ディスク媒体への情報の書き込み及び前記光ディスク媒体からの情報の読み出しを行う光ディスク記録手段と、複数の前記光ディスク媒体を収容する収容棚と、前記光ディスク記録手段と前記収容棚との間で前記光ディスク媒体を搬送する光ディスク搬送手段とを備える光ディスクチェンジャ装置であって、
ＬＡＮに接続可能なインタフェースと、
前記ＬＡＮとの間での情報の入出力を制御し、及び、前記光ディスク記録手段に接続され、且つ、前記光ディスク記録手段との間での情報の入出力を制御する入出力制御手段と、
所定の記録手段に記録されている情報を所定のタイミングで監視する情報監視手段と、
前記情報監視手段による監視結果に基づいて、前記記録手段に記録されている情報のうちのバックアップ条件を満たす情報を、前記入出力制御手段に対して前記記録手段から読み出させ且つ前記光ディスク記録手段へ当該情報の書き込み要求を行わせるバックアップ処理を行うバックアップ処理手段とを備える光ディスクチェンジャ装置。
【請求項２】
前記記録手段は、前記ＬＡＮに接続された１以上の記憶装置のうちの所定の記憶装置が有する記録手段である請求項１記載の光ディスクチェンジャ装置。
【請求項３】
磁気記録媒体を有するハードディスク記録手段を有し、
前記入出力制御手段は、前記光ディスク記録手段と前記ハードディスク記録手段とに接続され、且つ、前記光ディスク記録手段と前記ハードディスク記録手段との間での情報の入出力を制御し、
前記記録手段は、前記ハードディスク記録手段及び前記ＬＡＮに接続された１以上の記憶装置のうちの所定の記憶装置が有する記録手段の少なくとも１つである請求項１記載の光ディスクチェンジャ装置。
【請求項４】
前記情報監視手段は、前記クライアント端末が前記光ディスクチェンジャ装置自身に割り当てられた前記ＬＡＮ上の設定アドレスにアクセスすると、前記記録手段に記録されている情報と前記記録手段からバックアップされた情報との情報の一覧を、前記クライアント端末のウェブブラウザで表示される形式で作成し、
前記バックアップ処理手段は、前記バックアップ処理が終了した情報を前記記録手段から消去させ、前記情報の一覧に対して、前記バックアップ処理が終了したことを反映させる請求項１〜３の何れか一項に記載の光ディスクチェンジャ装置。
【請求項５】
前記設定アドレスにアクセスした前記クライアント端末から、前記情報の一覧のうち前記バックアップ処理が終了した情報を読み出す指示を受け取ると、前記光ディスク記録手段から前記記録手段に当該情報を復元させる復元処理手段を備える請求項４記載の光ディスクチェンジャ装置。
【請求項６】
前記バックアップ処理手段は、前記バックアップ処理が終了した情報を前記記録手段から消去させ、前記バックアップ処理が終了した情報が記録されていた前記記録手段に当該情報のバックアップ先に関する情報を記録する請求項１〜５の何れか一項に記載の光ディスクチェンジャ装置。
【発明の詳細な説明】
【技術分野】
【０００１】
本発明は、光ディスク媒体への情報の書き込み及び光ディスク媒体からの情報の読み出しを行う光ディスク記録手段と、複数の光ディスク媒体を収容する収容棚と、光ディスク記録手段と収容棚との間で光ディスク媒体を搬送する光ディスク搬送手段とを備える光ディスクチェンジャ装置に関する。
【背景技術】
【０００２】
大容量データのバックアップを目的として、複数枚の光ディスク媒体に情報を記憶させる光ディスクチェンジャ装置を設けたシステムがある。光ディスクチェンジャ装置は、光ディスク媒体への情報の書き込み及び光ディスク媒体からの情報の読み出しを行う光ディスクドライブと、複数枚の光ディスク媒体を収容する収容棚と、光ディスクドライブと収容棚との間で光ディスク媒体を搬送する光ディスク搬送手段とを備える。
特許文献１に記載のシステムに設けられている光ディスクチェンジャ装置はファイルサーバ装置に接続されている。また、特許文献１に記載のファイルサーバ装置には、情報の転送速度が速いハードディスクドライブで構成される高速記憶装置も接続されている。光ディスクチェンジャ装置は、信頼性が高く長期保存に適しているが情報の転送速度が遅い低速記憶装置である。そして、ファイルサーバ装置がＬＡＮ（Ｌｏｃａｌ  Ａｒｅａ  Ｎｅｔｗｏｒｋ）に接続され、同じくＬＡＮに接続されるクライアント端末との間で情報の送受信を行う。また、ファイルサーバ装置は、光ディスクチェンジャ装置及びハードディスクドライブとの間で情報の送受信を行う。つまり、ファイルサーバ装置は、光ディスクチェンジャ装置の光ディスクドライブ及びハードディスクドライブにおける情報の書き込み及び読み出しを制御するように構成されている。従って、ファイルサーバ装置には、光ディスクドライブ及びハードディスクドライブとの間での情報の入出力を制御するための入出力制御手段として機能するソフトウェアがインストールされている。
【０００３】
また、特許文献１に記載のシステムでは、ファイルサーバ装置は、クライアント端末から受け付けた情報をハードディスクドライブに記憶する。ファイルサーバ装置は、情報をハードディスクドライブに記憶しておけば、クライアント端末から情報の読み出し要求があったとしても、ハードディスクドライブから素早く情報を読み出して、クライアント端末に送信できる点で有利である。但し、記憶された時期が古く、クライアント端末から読み出し要求が行われないと予測されるような情報をハードディスクドライブに記憶したままにしておくことは、ハードディスクドライブの記憶容量の有効活用という観点からは好ましくない。そこで、ファイルサーバ装置は、ハードディスクドライブに記憶された情報がバックアップ条件を満たすと（例えば、設定期日を経過すると）、その情報をハードディスクドライブから読み出して、光ディスクドライブを有する光ディスクチェンジャ装置に記憶させるバックアップ処理を行う。尚、ファイルサーバ装置は、情報を光ディスクチェンジャ装置に記憶している場合、クライアント端末から情報の読み出し要求に応えるには、上記高速記憶装置に比べて長い時間が必要になる点で不利である。
【０００４】
但し、バックアップされている情報の安全性を考慮した場合、ハードディスクドライブは、地震や停電などが発生すると、ディスク自体が破損する可能性があるため、その時に書き込み又は読み出している情報だけでなく、既に記憶されている他の情報までも巻き込んだ大規模な情報の消失に至る可能性が高い点で不利である。他方で、光ディスクチェンジャ装置は、地震や停電などが発生した場合、光ディスク媒体自体の破損まで至る可能性は低く、情報の安全な保存という観点では有利である。更に、光ディスクチェンジャ装置は、記録媒体が安価であり、その交換も容易であるから、大容量の情報を保存しておくには適している。以上のように、光ディスクチェンジャ装置は、情報の転送速度の点で不利であるものの、大容量データのバックアップ用途として採用する意義は充分にある。
【０００５】
特許文献１において記載は無いものの、ファイルサーバ装置に接続されているハードディスクドライブ及び光ディスクチェンジャ装置との間の情報転送はＳＣＳＩによって行われていると思われる。よって、特許文献１に記載のファイルサーバ装置において、情報の記憶容量を増大させたいとき、ファイルサーバ装置に対するハードディスクドライブ又は光ディスクチェンジャ装置の接続数を増加させればよい。
【０００６】
【特許文献１】特開平９−１６０９９４号公報
【発明の開示】
【発明が解決しようとする課題】
【０００７】
特許文献１に記載のファイルサーバ装置に対して、実際にハードディスクドライブ及び光ディスクチェンジャ装置を増設しようとしたとき、ファイルサーバ装置とハードディスクドライブ及び光ディスクチェンジャ装置とがＳＣＳＩ接続により直結されていることを考慮すると、増設されるハードディスクドライブ及び光ディスクチェンジャ装置はファイルサーバ装置の周囲に設けなければならないという制約が生じる。ファイルサーバ装置の初期導入時であれば、ファイルサーバ装置の周囲にも空きスペースは存在するが、後日、追加するのであれば、ファイルサーバ装置の周囲に空きスペースを見つけることは困難であると思われる。従って、クライアント端末が情報を書き込むために利用可能な記憶容量を増大させることは困難である。
従って、ＬＡＮ上においてクライアント端末が利用可能な記憶容量を増設しようとすると、ハードディスクドライブ及び光ディスクチェンジャ装置を有するファイルサーバ装置自体をＬＡＮに接続する必要がある。
【０００８】
本発明は、上記の課題に鑑みてなされたものであり、その目的は、ＬＡＮにおける情報のバックアップのための記憶容量を容易に増大させることのできる光ディスクチェンジャ装置を提供する点にある。
【課題を解決するための手段】
【０００９】
上記目的を達成するための本発明に係る光ディスクチェンジャ装置の特徴構成は、光ディスク媒体への情報の書き込み及び前記光ディスク媒体からの情報の読み出しを行う光ディスク記録手段と、複数の前記光ディスク媒体を収容する収容棚と、前記光ディスク記録手段と前記収容棚との間で前記光ディスク媒体を搬送する光ディスク搬送手段とを備える光ディスクチェンジャ装置であって、
ＬＡＮに接続可能なインタフェースと、
前記ＬＡＮとの間での情報の入出力を制御し、及び、前記光ディスク記録手段に接続され、且つ、前記光ディスク記録手段との間での情報の入出力を制御する入出力制御手段と、
所定の記録手段に記録されている情報を所定のタイミングで監視する情報監視手段と、
前記情報監視手段による監視結果に基づいて、前記記録手段に記録されている情報のうちのバックアップ条件を満たす情報を、前記入出力制御手段に対して前記記録手段から読み出させ且つ前記光ディスク記録手段へ当該情報の書き込み要求を行わせるバックアップ処理を行うバックアップ処理手段とを備える点にある。
【００１０】
上記特徴構成によれば、光ディスクチェンジャ装置が有する入出力制御手段が、ＬＡＮとの間での情報の入出力を制御し、及び、光ディスク記録手段に接続され、且つ、光ディスク記録手段との間での情報の入出力を制御し、情報監視手段が、所定の記録手段に記録されている情報を所定のタイミングで監視し、バックアップ処理手段が、情報監視手段による監視結果に基づいて、記録手段に記録されている情報のうちのバックアップ条件を満たす情報を、入出力制御手段に対して上記記録手段から読み出させ且つ光ディスク記録手段へ当該情報の書き込み要求を行わせるバックアップ処理を行う。つまり、上記入出力制御手段と上記情報監視手段と上記バックアップ処理手段とを備える光ディスクチェンジャ装置をＬＡＮに接続すれば、ＬＡＮにおける情報の記憶容量が増大する。また、光ディスクチェンジャ装置はＬＡＮに直接接続することができるので、その設置場所及び設置数に関する制約はなくなる。
従って、ＬＡＮにおける情報のバックアップのための記憶容量を容易に増大させることのできる光ディスクチェンジャ装置を提供できる。
【００１１】
本発明に係る光ディスクチェンジャ装置の別の特徴構成は、前記記録手段は、前記ＬＡＮに接続された１以上の記憶装置のうちの所定の記憶装置が有する記録手段である点にある。
【００１２】
上記特徴構成によれば、ＬＡＮに接続されたファイルサーバ装置などの記憶装置が有する記録手段に記録されている情報を上記バックアップ処理の対象とすることができる。その結果、ＬＡＮに接続されている上記記憶装置に記録されている情報を、光ディスクチェンジャ装置において安全に且つ長期間保存することができる。
【００１３】
本発明に係る光ディスクチェンジャ装置の別の特徴構成は、磁気記録媒体を有するハードディスク記録手段を有し、
前記入出力制御手段は、前記光ディスク記録手段と前記ハードディスク記録手段とに接続され、且つ、前記光ディスク記録手段と前記ハードディスク記録手段との間での情報の入出力を制御し、
前記記録手段は、前記ハードディスク記録手段及び前記ＬＡＮに接続された１以上の記憶装置のうちの所定の記憶装置が有する記録手段の少なくとも１つである点にある。
【００１４】
上記特徴構成によれば、光ディスクチェンジャ装置自身のハードディスク記録手段に記録されている情報やＬＡＮに接続されたファイルサーバ装置などの記憶装置が有する記録手段に記録されている情報を上記バックアップ処理の対象とすることができる。その結果、光ディスクチェンジャ装置自身のハードディスク記録手段に記録されている情報やＬＡＮに接続されている上記記憶装置に記録されている情報を、光ディスクチェンジャ装置において安全に且つ長期間保存することができる。
【００１５】
本発明に係る光ディスクチェンジャ装置の別の特徴構成は、前記情報監視手段は、前記クライアント端末が前記光ディスクチェンジャ装置自身に割り当てられた前記ＬＡＮ上の設定アドレスにアクセスすると、前記記録手段に記録されている情報と前記記録手段からバックアップされた情報との情報の一覧を、前記クライアント端末のウェブブラウザで表示される形式で作成し、
前記バックアップ処理手段は、前記バックアップ処理が終了した情報を前記記録手段から消去させ、前記情報の一覧に対して、前記バックアップ処理が終了したことを反映させる点にある。
【００１６】
上記特徴構成によれば、クライアント端末の操作者が上記記録手段に記録させた情報が、現在、そのまま記録手段に記録されているのか又は光ディスクチェンジャ装置の光ディスク媒体においてバックアップされているのかが、情報の一覧として表示される。その結果、クライアント端末の操作者は、現在、情報がそのまま記録手段に記録されているのか又は光ディスクチェンジャ装置の光ディスク媒体においてバックアップされているのかを容易に知ることができる。
【００１７】
本発明に係る光ディスクチェンジャ装置の別の特徴構成は、前記設定アドレスにアクセスした前記クライアント端末から、前記情報の一覧のうち前記バックアップ処理が終了した情報を読み出す指示を受け取ると、前記光ディスク記録手段から前記記録手段に当該情報を復元させる復元処理手段を備える点にある。
【００１８】
上記特徴構成によれば、復元処理手段は、光ディスクチェンジャ装置に割り当てられた設定アドレスにアクセスしたクライアント端末から、情報の一覧のうちバックアップ処理が終了した情報を読み出す指示を受け取ると、光ディスク記録手段からバックアップ元のＬＡＮ上の記憶装置の記録手段に当該情報を復元させる。つまり、クライアント端末の操作者は、記録手段に記録させた情報が光ディスクチェンジャ装置の光ディスク媒体においてバックアップされているとしても、情報の読み出し指示を与えるだけで、その情報がバックアップ元の記録手段に復元されてアクセス可能になる。その結果、その情報の読み出しを高い転送速度で実施できる。
【００１９】
本発明に係る光ディスクチェンジャ装置の別の特徴構成は、前記バックアップ処理手段は、前記バックアップ処理が終了した情報を前記記録手段から消去させ、前記バックアップ処理が終了した情報が記録されていた前記記録手段に当該情報のバックアップ先に関する情報を記録する点にある。
【００２０】
上記特徴構成によれば、バックアップ処理した情報が記録されていた記録手段に当該情報のバックアップ先に関する情報が記録されるので、バックアップ処理が終了した情報が記録手段から消去されていたとしても、クライアント端末の操作者に対して上記情報が失われていないことを知らせることができる。
【発明を実施するための最良の形態】
【００２１】
＜第１実施形態＞
図１は、第１実施形態の光ディスクチェンジャ装置４０を備えた光ディスクチェンジャシステムの機能ブロック図である。
図１に示すように、光ディスクチェンジャ装置４０は、クライアント端末１０が接続されたＬＡＮ（Ｌｏａｃａｌ  Ａｒｅａ  Ｎｅｔｗｏｒｋ）１に接続されている。また、本発明における、ＬＡＮ１に接続された１以上の記憶装置のうちの所定の記憶装置として、記録手段２１を有するファイルサーバ装置２０が設けられている。光ディスクチェンジャ装置４０は、光ディスク媒体２への情報の書き込み及び光ディスク媒体２からの情報の読み出しを行う光ディスクドライブ４７を備える。光ディスク媒体２としてはＤＶＤ（Ｄｉｇｉｔａｌ  Ｖｅｒｓａｔｉｌｅ  Ｄｉｓｋ）媒体やその他の媒体が使用できる。光ディスクドライブ４７には、複数の光ディスク媒体２を収容する収容棚４９と、光ディスクドライブ４７と収容棚４９との間で光ディスク媒体２を搬送する光ディスク搬送手段４８とが併設されている。光ディスクドライブ４７では、情報の書き込み及び読み出しを同時に複数枚の光ディスク媒体２に対して行うことはできないが、光ディスクチェンジャ装置４０の制御部４２は、光ディスク搬送手段４８を用いて、光ディスクドライブ４７と収容棚４９との間で光ディスク媒体２の入れ換えを行うことができる。収容棚４９には、多数の光ディスク媒体２を収容できるので、理論的には光ディスクドライブ４７を用いて無限大の情報の保存を行うことができる。以上のように、本実施形態の光ディスクチェンジャ装置４０は、情報の書き込み及び読み出しが比較的低速であるものの大量の情報の記録を行うことができる光ディスクドライブ４７を有している。
以上のように、光ディスクドライブ４７は本発明の光ディスク記録手段に相当する。
【００２２】
クライアント端末１０は、ＬＡＮ１を介して接続されているファイルサーバ装置２０の記録手段２１に対してアクセスする権限が設定されている。つまり、クライアント端末１０からファイルサーバ装置２０の記録手段２１に対して情報の書き込みを行うことや、その記録手段２１から情報の読み出しを行うことが可能である。
【００２３】
光ディスクチェンジャ装置４０は、クライアント端末１０が接続されるＬＡＮ１に接続するためのインタフェース４１と制御部４２とを備え、制御部４２は、インタフェース４１を介して行われるＬＡＮ１との間での情報の入出力を制御し、及び、光ディスクドライブ４７に接続され、且つ、光ディスクドライブ４７との間での情報の入出力を制御する入出力制御手段４３を備えている。つまり、制御部４２は、光ディスクドライブ４７及び光ディスク搬送手段４８の動作を制御することで、光ディスク媒体２への情報の書き込み、及び、光ディスク媒体２からの情報の読み出しを行える。また、この入出力制御手段４３により、クライアント端末１０からＬＡＮ１を介して接続されている光ディスクチェンジャ装置４０のデバイスや情報のファイル構造を見ることを可能にしている。
【００２４】
また、光ディスクチェンジャ装置４０の制御部４２は、後述するように、所定の記録手段（本実施形態ではファイルサーバ装置２０の記録手段２１）に記録されている情報を所定のタイミングで監視する情報監視手段４４と、情報監視手段４４による監視結果に基づいて、上記記録手段に記録されている情報のうちのバックアップ条件を満たす情報を、入出力制御手段４３に対して上記記録手段から読み出させ且つ光ディスクドライブ４７へ当該情報の書き込み要求を行わせるバックアップ処理を行うバックアップ処理手段４５と、復元処理手段４６とを備える。
【００２５】
情報監視手段４４は、ＬＡＮ１に接続されていてアクセス可能な記録手段としてのファイルサーバ装置２０の記録手段２１に所定のタイミングでアクセスし、記録されている情報の記録日、ファイル（情報）名、ファイル形式（画像ファイル、文書ファイルなど）、ファイル拡張子、ファイル容量などのうちの必要な情報を取得する。そして、情報監視手段４４は、その記録手段２１に記録されている情報とバックアップされた情報との情報の一覧を作成して、光ディスクチェンジャ装置４０内の半導体メモリなどの情報記憶領域（図示せず）に保存する。この情報の一覧は、クライアント端末１０が光ディスクチェンジャ装置４０に割り当てられたＬＡＮ１上の設定アドレス（例えば、ＩＰアドレス）にアクセスするとクライアント端末１０にインストールされているウェブブラウザで表示される形式（例えば、ｈｔｍｌ形式）で作成される。尚、情報監視手段４４がＬＡＮ上のどの記録手段（本実施形態では、ファイルサーバ装置２０の記録手段２１）を監視するのかは、制御部４２内の図示しない監視設定手段により光ディスクチェンジャ装置４０内の情報記憶領域（図示せず）に設定されて保存されている。このように、クライアント端末１０の操作者は、ウェブブラウザを用いて上記ＩＰアドレスにアクセスすると、自身がファイルサーバ装置２０の記録手段２１に現在及び過去に記録した情報の一覧を確認できる。
【００２６】
バックアップ処理手段４５は、情報監視手段４４が作成した情報の一覧を参照できる。そして、バックアップ処理手段４５は、情報監視手段４４がファイルサーバ装置２０にアクセスするタイミング又は設定された所定のタイミングで、情報監視手段４４による監視結果に基づいて、ファイルサーバ装置２０の記録手段２１に記録されている情報のうちのバックアップ条件を満たす情報のバックアップ処理を行う。このバックアップ条件に関する情報は、光ディスクチェンジャ装置４０内の情報記憶領域（図示せず）に設定されて保存されている。そして、本実施形態におけるバックアップ条件は、「ファイルサーバ装置２０の記録手段２１に記録されてから設定期間以上結果していること」である。また、バックアップ処理手段４５は、バックアップ処理が終了した情報をファイルサーバ装置２０の記録手段２１から消去させる。更に、バックアップ処理手段４５は、バックアップ処理が終了した情報が光ディスクドライブ４７によって特定の光ディスク媒体２に記録されていることを、上記情報の一覧に反映させる。
【００２７】
以下に、光ディスクチェンジャ装置４０が行うバックアップ処理について説明する。
図２は、クライアント端末１０の表示画面例であり、クライアント端末１０自身のファイル構造（図２中では「マイコンピュータ」と記載されている）、ファイルサーバ装置２０のファイル構造（図２中では「ｆｉｌｅｓｅｒｖｅｒ」と記載されている）、及び、光ディスクチェンジャ装置４０のファイル構造（図２中では「ｃｈａｎｇｅｒ」と記載されている）を見た状態である。クライアント端末１０の操作者は、ＬＡＮ１に接続されたファイルサーバ装置２０の記録手段２１にアクセスする権限を有しているので、クライアント端末１０からファイルサーバ装置２０の記録手段２１へ、情報の書き込みを行うことができる。図２に示した例では、ファイルサーバ装置２０の記録手段２１にクライアント端末１０の操作者自身の共有フォルダである「ｋ−ｔａｋａｙｍ」フォルダが作成されている。そして、クライアント端末１０から３つの情報（「見積書．ｄｏｃ」、「注文書．ｄｏｃ」、「仕様書．ｄｏｃ」）の書き込み要求が行われた結果、それらの情報がファイルサーバ装置２０の記録手段２１の「ｋ−ｔａｋａｙｍ」フォルダに記録されている。
【００２８】
上述したように、光ディスクチェンジャ装置４０の情報監視手段４４は、ファイルサーバ装置２０の記録手段２１に記録されている情報を監視し、情報の一覧を作成する。
【００２９】
図３は、光ディスクチェンジャ装置４０のバックアップ処理手段４５が行うバックアップ処理制御のフローチャートである。図３に示すように、工程＃１０においてバックアップ処理手段４５は、情報監視手段４４による監視結果に基づいて、ファイルサーバ装置２０の記録手段２１に記録されている情報のうちのバックアップ条件を満たす情報、つまり、ファイルサーバ装置２０の記録手段２１に記録されてから設定期間以上経過している情報があるか否かを判定する。本実施形態では、「ｋ−ｔａｋａｙｍ」フォルダに記録されている「見積書．ｄｏｃ」、「注文書．ｄｏｃ」がそれに該当する。バックアップ処理手段４５は、該当する情報がある場合（工程＃１０の「Ｙｅｓ」）には工程＃１２に移行し、該当する情報が無い場合（工程＃１０の「Ｎｏ」）にはこの処理の初めにリターンする。
【００３０】
バックアップ処理手段４５は、ファイルサーバ装置２０の記録手段２１に記録されてから設定期間以上経過している情報がある場合、工程＃１２に移行して、入出力制御手段４３に対して、該当する情報をファイルサーバ装置２０の記録手段２１から読み出させ、光ディスクドライブ４７へ当該情報の書き込み要求を行わせる。その結果、ファイルサーバ装置２０の記録手段２１に記録されてから設定期間以上経過している情報は、光ディスクドライブ４７の光ディスク媒体２に記録される。
【００３１】
図４はクライアント端末１０における表示画面例である。図４に示すように、光ディスクチェンジャ装置４０の光ディスクドライブ４７には「ｋ−ｔａｋａｙｍ」フォルダが作成され、そのフォルダに「見積書．ｄｏｃ」、「注文書．ｄｏｃ」が記録される。但し、光ディスクドライブ４７は、複数の光ディスク媒体２に記録している情報を管理しており、どの光ディスク媒体２に「ｋ−ｔａｋａｙｍ」フォルダが作成され、そのフォルダに「見積書．ｄｏｃ」、「注文書．ｄｏｃ」が記録されているかを管理している。
【００３２】
次に、工程＃１４においてバックアップ処理手段４５は、ファイルサーバ装置２０に対し、バックアップ処理が終了した情報をその記録手段２１から消去させる。図５は、クライアント端末１０における表示画面例であり、図示するように、ファイルサーバ装置２０の記録手段２１に作成されている「ｋ−ｔａｋａｙｍ」フォルダから、バックアップ処理が終了した「見積書．ｄｏｃ」、「注文書．ｄｏｃ」が消去され、「仕様書．ｄｏｃ」のみが残されている。
【００３３】
その後、工程＃１６においてバックアップ処理手段４５は、光ディスクチェンジャ装置４０の情報記憶領域に保存されている情報の一覧に対して、バックアップ処理が終了した情報が光ディスクドライブ４７に記録されていることを反映させる。図６は、クライアント端末１０が光ディスクチェンジャ装置４０に割り当てられたＬＡＮ１上の設定アドレス（ＩＰアドレス  ｈｔｔｐ：／／ａａａ．ｂｂｂ．ｃｃ．ｄｄ）に対してアクセスしたときに表示されるウェブブラウザの画面例である。図示するように、バックアップ処理が終了した「見積書．ｄｏｃ」及び「注文書．ｄｏｃ」は、「バックアップ」状態であると管理されている。また、ファイルサーバ装置２０の記録手段２１に保存されたままでバックアップ処理が行われていない「仕様書．ｄｏｃ」は、「オンライン」状態であると管理されている。このようにして、クライアント端末１０の操作者は、現在、情報がファイルサーバ装置２０の記録手段２１に記録されたままであるのか又は光ディスクチェンジャ装置４０の光ディスク媒体２においてバックアップされているのかを容易に知ることができる。
【００３４】
クライアント端末１０において図６の画面が表示されることで、クライアント端末１０の操作者は、「見積書．ｄｏｃ」及び「注文書．ｄｏｃ」が光ディスクチェンジャ装置４０の光ディスクドライブ４７にバックアップされ、ファイルサーバ装置２０からは消去されたことを確認できる。ここで、クライアント端末１０の操作者が、既にバックアップ処理された情報のうちの「見積書．ｄｏｃ」を光ディスクドライブ４７から読み出したいとき、図６に示された「見積書．ｄｏｃ」の情報欄を選択（例えば、マウスなどでダブルクリック）する。クライアント端末１０の操作者によるその選択操作の内容は光ディスクチェンジャ装置４０に送信され、光ディスクチェンジャ装置４０は、クライアント端末１０の操作者に対して、選択された情報を読み出すか否かの確認を行うべく、図７に示すような確認メッセージをクライアント端末１０に送信して表示させる。
【００３５】
クライアント端末１０の操作者は、画面上に表示された図７の確認メッセージを見て、情報を読み出すならば「ＯＫ」ボタンを選択（例えば、マウスなどでクリック）すると、情報を読み出す指示が光ディスクチェンジャ装置４０に送信される。光ディスクチェンジャ装置４０が有する復元処理手段４６がその指示を受け取ると、復元処理手段４６は、入出力制御手段４３に対して、光ディスクドライブ４７から当該情報を読み出して、ファイルサーバ装置２０の記録手段２１に書き込ませる復元処理を行う。このように、クライアント端末１０の操作者は、ファイルサーバ装置２０の記録手段２１に記録させた情報が上記バックアップ処理によって光ディスクチェンジャ装置４０の光ディスク媒体２においてバックアップされているとしても、情報の読み出し指示を与えるだけで、その情報がファイルサーバ装置２０の記録手段２１に復元されてアクセス可能になる。その結果、その情報の読み出しを高い転送速度で実施できる。
【００３６】
＜第２実施形態＞
第２実施形態の光ディスクチェンジャシステムは、光ディスクチェンジャ装置がハードディスクドライブを有している点で、上記第１実施形態の光ディスクチェンジャシステムと異なっている。以下に第２実施形態の光ディスクチェンジャシステムについて説明するが、第１実施形態と同様の構成については説明及び図示を省略する。
【００３７】
図８は、第２実施形態の光ディスクチェンジャ装置５０の機能ブロック図である。
図８に示すように、光ディスクチェンジャ装置５０は、クライアント端末１０が接続されたＬＡＮ１に接続されている。また、本発明における、ＬＡＮ１に接続された１以上の記憶装置のうちの所定の記憶装置として、記録手段２１を有するファイルサーバ装置２０が設けられている。光ディスクチェンジャ装置５０は、光ディスク媒体２への情報の書き込み及び光ディスク媒体２からの情報の読み出しを行う光ディスクドライブ５７と、磁気記録媒体６１を有するハードディスクドライブ６０とを備える。光ディスクドライブ５７には、複数の光ディスク媒体２を収容する収容棚５９と、光ディスクドライブ５７と収容棚５９との間で光ディスク媒体２を搬送する光ディスク搬送手段５８とが併設されている。光ディスクドライブ５７では、情報の書き込み及び読み出しを同時に複数枚の光ディスク媒体２に対して行うことはできないが、光ディスクチェンジャ装置５０の制御部５２は、光ディスク搬送手段５８を用いて、光ディスクドライブ５７と収容棚５９との間で光ディスク媒体２の入れ換えを行うことができる。収容棚５９には、多数の光ディスク媒体２を収容できるので、理論的には光ディスクドライブ５７を用いて無限大の情報の保存を行うことができる。以上のように、本実施形態の光ディスクチェンジャ装置５０は、情報の書き込み及び読み出しが比較的低速であるものの大量の情報の記録を行うことができる光ディスクドライブ５７と、情報の書き込み及び読み出しが高速に行えるハードディスクドライブ６０とを有している。
以上のように、光ディスクドライブ５７は本発明の光ディスク記録手段に相当し、ハードディスクドライブ６０は本発明のハードディスク記録手段に相当する。
【００３８】
光ディスクチェンジャ装置５０は、クライアント端末１０が接続されるＬＡＮ１に接続するためのインタフェース５１と制御部５２とを備え、制御部５２は、インタフェース５１を介して行われるＬＡＮ１との間での情報の入出力を制御し、及び、光ディスクドライブ５７とハードディスクドライブ６０とに接続され、且つ、光ディスクドライブ５７及びハードディスクドライブ６０との間での情報の入出力を制御する入出力制御手段５３を備えている。つまり、制御部５２は、光ディスクドライブ５７及び光ディスク搬送手段５８とハードディスクドライブ６０との動作を制御することで、光ディスク媒体２及び磁気記録媒体６１への情報の書き込み、並びに、光ディスク媒体２及び磁気記録媒体６１からの情報の読み出しを行える。
【００３９】
また、制御部５２が有する情報監視手段５４は、上記第１実施形態と同様に、所定の記録手段（本実施形態では、ハードディスクドライブ６０及びファイルサーバ装置２０の記録手段２１）に記録されている情報を所定のタイミングで監視する。具体的には、情報監視手段５４は、ＬＡＮ１に接続されていてアクセス可能な記録手段としてのファイルサーバ装置２０の記録手段２１及び光ディスクチェンジャ装置５０のハードディスクドライブ６０に所定のタイミングでアクセスする。そして、情報監視手段５４は、ファイルサーバ装置２０の記録手段２１及びハードディスクドライブ６０に記録されている情報とバックアップされた情報との情報の一覧を作成して、光ディスクチェンジャ装置５０内の半導体メモリの情報記憶領域（図示せず）又はハードディスクドライブ６０に保存する。この情報の一覧は、クライアント端末１０が光ディスクチェンジャ装置５０に割り当てられたＬＡＮ１上の設定アドレス（例えば、ＩＰアドレス）にアクセスするとクライアント端末１０のウェブブラウザで表示される形式（例えば、ｈｔｍｌ形式）で作成される。尚、情報監視手段５４がＬＡＮ上のどの記録手段（本実施形態では、光ディスクチェンジャ装置５０のハードディスクドライブ６０）を監視するのかは、制御部５２内の図示しない監視設定手段により光ディスクチェンジャ装置５０内の情報記憶領域（図示せず）又はハードディスクドライブ６０に設定されて保存されている。このように、クライアント端末１０の操作者は、ウェブブラウザを用いて上記ＩＰアドレスにアクセスすると、自身がファイルサーバ装置２０の記録手段２１及びハードディスクドライブ６０に現在及び過去に記録した情報の一覧を確認できる。
【００４０】
光ディスクチェンジャ装置５０が有するバックアップ処理手段５５は、情報監視手段５４が作成した情報の一覧を参照できる。そして、バックアップ処理手段５５は、情報監視手段５４がハードディスクドライブ６０又はファイルサーバ装置２０にアクセスするタイミング或いは設定された所定のタイミングで、情報監視手段５４による監視結果に基づいて、ハードディスクドライブ６０及びファイルサーバ装置２０の記録手段２１に記録されている情報のうちのバックアップ条件を満たす情報のバックアップ処理を行う。このバックアップ条件に関する情報は、光ディスクチェンジャ装置５０内の情報記憶領域（図示せず）又はハードディスクドライブ６０に設定されて保存されている。そして、本実施形態におけるバックアップ条件は、「ハードディスクドライブ６０又はファイルサーバ装置２０の記録手段２１に記録されてから設定期間以上結果していること」である。また、バックアップ処理手段５５は、バックアップ処理が終了した情報をファイルサーバ装置２０の記録手段２１又はハードディスクドライブ６０から消去させる。更に、バックアップ処理手段５５は、バックアップ処理が終了した情報が光ディスクドライブ５７によって特定の光ディスク媒体２に記録されていることを、上記情報の一覧に反映させる。
【００４１】
以下に、光ディスクチェンジャ装置５０が行うバックアップ処理について説明する。
図９は、クライアント端末１０の表示画面例であり、クライアント端末１０から、クライアント端末１０自身のファイル構造（図９中では「マイコンピュータ」と記載されている）、ファイルサーバ装置２０のファイル構造（図９中では「ｆｉｌｅｓｅｒｖｅｒ」と記載されている）、及び、光ディスクチェンジャ装置５０のファイル構造（図９中では「ｃｈａｎｇｅｒ」と記載されている）を見た状態である。クライアント端末１０の操作者は、ＬＡＮ１に接続されたファイルサーバ装置２０の記録手段２１にアクセスする権限、及び、光ディスクチェンジャ装置５０のハードディスクドライブ（図９中では「「ＨＤＤ」と記載されている）６０にアクセスする権限を有しているので、クライアント端末１０からファイルサーバ装置２０の記録手段２１及び光ディスクチェンジャ装置５０のハードディスクドライブ６０へ、情報の書き込みを行うことができる。図９に示した例では、光ディスクチェンジャ装置５０のハードディスクドライブ６０にクライアント端末１０の操作者自身の共有フォルダである「ｋ−ｔａｋａｙｍ」が作成されている。そして、クライアント端末１０から３つの情報（「見積書．ｄｏｃ」、「注文書．ｄｏｃ」、「仕様書．ｄｏｃ」）の書き込み要求が行われた結果、それらの情報が光ディスクチェンジャ装置５０のハードディスクドライブ６０の「ｋ−ｔａｋａｙｍ」フォルダに記録されている。
【００４２】
上述したように、光ディスクチェンジャ装置５０の情報監視手段５４は、ファイルサーバ装置２０の記録手段２１及び光ディスクチェンジャ装置５０のハードディスクドライブ６０に記録されている情報を監視し、情報の一覧を作成する。
【００４３】
図１０は、光ディスクチェンジャ装置５０のバックアップ処理手段５５が行うバックアップ処理制御のフローチャートである。図１０に示すように、工程＃２０においてバックアップ処理手段５５は、情報監視手段５４による監視結果に基づいて、ハードディスクドライブ６０及びファイルサーバ装置２０の記録手段２１に記録されている情報のうちのバックアップ条件を満たす情報、つまり、ファイルサーバ装置２０の記録手段２１又は光ディスクチェンジャ装置５０のハードディスクドライブ６０に記録されてから設定期間以上経過している情報があるか否かを判定する。本実施形態では、光ディスクチェンジャ装置５０のハードディスクドライブ６０の「ｋ−ｔａｋａｙｍ」フォルダに記録されている「見積書．ｄｏｃ」、「注文書．ｄｏｃ」がそれに該当する。バックアップ処理手段５５は、該当する情報がある場合（工程＃２０の「Ｙｅｓ」）には工程＃２２に移行し、該当する情報が無い場合（工程＃２０の「Ｎｏ」）にはこの処理の初めにリターンする。
【００４４】
バックアップ処理手段５５は、ファイルサーバ装置２０の記録手段２１又は光ディスクチェンジャ装置５０のハードディスクドライブ６０に記録されてから設定期間以上経過している情報がある場合、工程＃２２に移行して、入出力制御手段５３に対して、該当する情報をファイルサーバ装置２０の記録手段２１又は光ディスクチェンジャ装置５０のハードディスクドライブ６０から読み出させ、光ディスクドライブ５７へ当該情報の書き込み要求を行わせる。その結果、ファイルサーバ装置２０の記録手段２１又は光ディスクチェンジャ装置５０のハードディスクドライブ６０に記録されてから設定期間以上経過している情報は、光ディスクドライブ５７の光ディスク媒体２に記録される。
【００４５】
図１１はクライアント端末１０における表示画面例である。図１１に示すように、光ディスクチェンジャ装置５０の光ディスクドライブ（図１１中では「ＤＶＤＤＲＩＶＥ」と記載されている）５７には「ｋ−ｔａｋａｙｍ」フォルダが作成され、そのフォルダに「見積書．ｄｏｃ」、「注文書．ｄｏｃ」が記録される。但し、光ディスクドライブ５７は、複数の光ディスク媒体２に記録している情報を管理しており、どの光ディスク媒体２に「ｋ−ｔａｋａｙｍ」フォルダが作成され、そのフォルダに「見積書．ｄｏｃ」、「注文書．ｄｏｃ」が記録されているかを管理している。
【００４６】
次に、工程＃２４においてバックアップ処理手段５５は、光ディスクチェンジャ装置５０のハードディスクドライブ６０に対し、バックアップ処理が終了した情報を消去させる。図１２は、クライアント端末１０における表示画面例であり、図示するように、光ディスクチェンジャ装置５０のハードディスクドライブ６０に作成されている「ｋ−ｔａｋａｙｍ」フォルダから、バックアップ処理が終了した「見積書．ｄｏｃ」、「注文書．ｄｏｃ」が消去され、「仕様書．ｄｏｃ」のみが残されている。
【００４７】
その後、工程＃２６においてバックアップ処理手段５５は、光ディスクチェンジャ装置５０の情報記憶領域に保存されている情報の一覧に対して、バックアップ処理が終了した情報が光ディスクドライブ５７に記録されていることを反映させる。クライアント端末１０が光ディスクチェンジャ装置５０に割り当てられたＬＡＮ１上の設定アドレス（ＩＰアドレス  ｈｔｔｐ：／／ａａａ．ｂｂｂ．ｃｃ．ｄｄ）に対してアクセスしたときに表示されるウェブブラウザの画面例は、第１実施形態の図６に示したものと同じである。図６に示したように、バックアップ処理が終了した「見積書．ｄｏｃ」及び「注文書．ｄｏｃ」は、「バックアップ」状態であると管理されている。また、光ディスクチェンジャ装置５０のハードディスクドライブ６０に保存されたままでバックアップ処理が行われていない「仕様書．ｄｏｃ」は、「オンライン」状態であると管理されている。このようにして、クライアント端末１０の操作者は、現在、情報がハードディスクドライブ６０に記録されているのか又は光ディスク媒体２においてバックアップされているのかを容易に知ることができる。
【００４８】
クライアント端末１０において図６のような画面が表示されることで、クライアント端末１０の操作者は、「見積書．ｄｏｃ」及び「注文書．ｄｏｃ」が光ディスクチェンジャ装置５０の光ディスクドライブ５７にバックアップされ、光ディスクチェンジャ装置５０のハードディスクドライブ６０からは消去されたことを確認できる。ここで、クライアント端末１０の操作者が、既にバックアップ処理された情報のうちの「見積書．ｄｏｃ」を光ディスクドライブ５７から読み出したいとき、図６に示された「見積書．ｄｏｃ」の情報欄を選択（例えば、マウスなどでダブルクリック）する。クライアント端末１０の操作者によるその選択操作の内容は光ディスクチェンジャ装置５０に送信され、光ディスクチェンジャ装置５０は、クライアント端末１０の操作者に対して、選択された情報を読み出すか否かの確認を行うべく、第１実施形態の図７に示したのと同様の確認メッセージをクライアント端末１０に送信して表示させる。
【００４９】
クライアント端末１０の操作者は、画面上に表示された図７に示したような確認メッセージを見て、情報を読み出すならば「ＯＫ」ボタンを選択（例えば、マウスなどでクリック）すると、情報を読み出す指示が光ディスクチェンジャ装置５０に送信される。光ディスクチェンジャ装置５０が有する復元処理手段５６がその指示を受け取ると、復元処理手段５６は、入出力制御手段５３に対して、光ディスクドライブ５７から当該情報を読み出して、ハードディスクドライブ６０に書き込ませる復元処理を行う。このように、クライアント端末１０の操作者は、ハードディスクドライブ６０に記録させた情報が光ディスクチェンジャ装置５０の光ディスク媒体２においてバックアップされているとしても、情報の読み出し指示を与えるだけで、その情報がハードディスクドライブ６０に復元されてアクセス可能になる。その結果、その情報の読み出しを高い転送速度で実施できる。
【００５０】
＜別実施形態＞
＜１＞
上記第１実施形態及び第２実施形態において、バックアップ処理手段４５，５５は、クライアント端末１０の操作者が、情報のバックアップ処理が終了したことを確認できるように、図６に例示した情報の一覧に対して、バックアップ処理が終了した情報が光ディスクドライブ４５，５５に記録されていることを反映させていたが、情報のバックアップ処理が終了したことを他の方法で確認させるようにしてもよい。
【００５１】
例えば、バックアップ処理手段４５，５５が、バックアップ処理が終了した情報が元々記録されていた場所（例えば、フォルダ内）に、バックアップ先（つまり情報の移動先）に関する情報としてバックアップ処理後の情報へのリンクが設定された情報を作成して保存させるようにしてもよい。例えば、図１３に示すように、バックアップ処理手段４５，５５が、ファイルサーバ装置２０の記録手段２１に作成されている「ｋ−ｔａｋａｙｍ」フォルダに、「見積書．ｄｏｃ」及び「注文書．ｄｏｃ」のインターネットショートカットファイルを作成して保存させる。その結果、クライアント端末１０の操作者は、過去に自分がファイルサーバ装置２０の記録手段２１に記録した情報が、光ディスクチェンジャ装置４０，５０によって自動的にバックアップ処理されて消去されていたとしても、上記ショートカットファイルにアクセスすることで、バックアップ処理後の情報（つまり、光ディスクチェンジャ装置４０，５０の光ディスクドライブ４７，５７にバックアップされた情報）にアクセス可能となる。
また、インターネットショートカットファイルがアクセスされた場合、図７を参照して上述したような復元処理を行えるようにしてもよい。サイズの大きな情報を光ディスクドライブ４７，５７から読み出すと、ネットワークのタイムアウトで読み出せない場合があるが、上述した復元処理により確実に情報を読み出すことができる。
【００５２】
＜２＞
上記実施形態では、ＬＡＮに対してクライアント端末、光ディスクチェンジャ装置及びファイルサーバ装置が１台ずつ接続された例について説明したが、ＬＡＮに接続されるクライアント端末、光ディスクチェンジャ装置及びファイルサーバ装置の数には制限はない。例えば、図１４は、ＬＡＮに対してクライアント端末、光ディスクチェンジャ装置及びファイルサーバ装置が複数台ずつ接続された光ディスクチェンジャシステムである。但し、光ディスクチェンジャ装置４０の装置構成と光ディスクチェンジャ装置５０の装置構成は、上記第１実施形態及び第２実施形態で説明したのと同様である。
【００５３】
このシステムには、複数の情報監視手段４４、５４が設けられていることになるが、ファイルサーバ装置２０、３０の記録手段２１、３１及び光ディスクチェンジャ装置５０のハードディスドライブ６０に記録されている情報を、各情報監視手段４４、５４が分担して監視すればよい。例えば、情報監視手段４４がファイルサーバ装置２０の記録手段２１に記録されている情報を監視し、情報監視手段５４がファイルサーバ装置３０の記録手段３１及び光ディスクチェンジャ装置５０のハードディスクドライブ６０に記録されている情報を監視するようにしてもよい。そして、上述したのと同様にして、情報監視手段４４が監視した情報の一覧がバックアップ処理手段４５に参照されて情報のバックアップ処理が行われ、情報監視手段５４が監視した情報の一覧がバックアップ処理手段５５に参照されて情報のバックアップ処理が行われる。
【００５４】
或いは、記録手段２１及びハードディスクドライブ６０を複数の記録領域に分けて考え、複数の情報監視手段４４，５４がそれぞれの記録領域に記録されている情報監視するようにしてもよい。例えば、情報監視手段４４がファイルサーバ装置２０の記録手段２１に記録されている情報を監視し、情報監視手段５４が光ディスクチェンジャ装置５０のハードディスクドライブ６０に記録されている情報を監視する。そして、ファイルサーバ装置３０の記録手段３１に記録されている情報は、記録手段３１の一部の記録領域に記録されている情報を情報監視手段４４が監視し、記録手段３１の残りの記録領域に記録されている情報を情報監視手段５４が監視するようにする。これらの場合、個々の光ディスクチェンジャ装置４０，５０の情報記憶領域に、監視先の記録手段（光ディスクチェンジャ装置５０のハードディスクドライブ６０、ファイルサーバ装置２０、３０の記録手段２１、３１など）とそこでの記憶領域がどれであるのかが複数設定されて保存される。
【００５５】
＜３＞
上記第２実施形態では、クライアント端末１０がハードディスクドライブ６０に情報を記録する例について説明したが、ファイルサーバ装置２０の記録手段２１に情報を記録してもよい。その場合であっても、光ディスクチェンジャ装置５０の情報監視手段５４がファイルサーバ装置２０の記録手段２１に記録されている情報とハードディスクドライブ６０に記録されている情報の両方を監視するので、バックアップ処理手段５５は、それらに記録されてから設定期間以上経過している情報のバックアップ処理を確実に行うことができる。
【００５６】
＜４＞
上記実施形態では、本発明におけるＬＡＮ１上の設定された記憶装置としてファイルサーバ装置を例示したが、本発明はこれに限定されない。例えば、ＬＡＮ１上の記憶装置は、クライアント端末の記憶装置、ＬＡＮ１に接続可能なハードディスク装置、他の光ディスクチェンジャ装置のハードディスクドライブ等、ＬＡＮ１に接続される記憶装置であればよい。
【００５７】
＜５＞
上記実施形態では、バックアップ条件の具体例として、記録手段（ハードディスクドライブやファイルサーバ装置の記録手段など）に記録されてから設定期間以上経過した情報であることを例示したが、本発明はこれに限定されない。例えば、特定のファイル名が付いていること、特定の形式（画像など）であること、特定のファイル拡張子が付いていること、特定のファイル容量以上であること等をバックアップ条件するように構成してもよい。或いは、記録手段に記録されている情報の全てがバックアップ条件を満たすものとしてもよい。
【産業上の利用可能性】
【００５８】
本発明の光ディスクチェンジャシステムは、ＬＡＮに接続された記録手段に記録されている情報をバックアップするために利用できる。
【図面の簡単な説明】
【００５９】
【図１】第１実施形態の光ディスクチェンジャシステムの機能ブロック図
【図２】クライアント端末における表示画面例
【図３】バックアップ処理制御のフローチャート
【図４】クライアント端末における表示画面例
【図５】クライアント端末における表示画面例
【図６】クライアント端末における表示画面例
【図７】クライアント端末における表示画面例
【図８】第２実施形態の光ディスクチェンジャシステムの機能ブロック図
【図９】クライアント端末における表示画面例
【図１０】バックアップ処理制御のフローチャート
【図１１】クライアント端末における表示画面例
【図１２】クライアント端末における表示画面例
【図１３】クライアント端末における表示画面例
【図１４】別実施形態の光ディスクチェンジャシステムの機能ブロック図
【符号の説明】
【００６０】
１  ＬＡＮ
２  光ディスク媒体
１０  クライアント端末
２０  ファイルサーバ装置（記憶装置）
２１  記録手段
４０  光ディスクチェンジャ装置
４１  インタフェース
４３  入出力制御手段
４４  情報監視手段
４５  バックアップ処理手段
４６  復元処理手段
４７  光ディスクドライブ（光ディスク記録手段）
４８  光ディスク搬送手段
４９  収容棚
５０  光ディスクチェンジャ装置
５３  入出力制御手段
５４  情報監視手段
５５  バックアップ処理手段
５６  復元処理手段
５７  光ディスクドライブ（光ディスク記録手段）
５８  光ディスク搬送手段
５９  収容棚
６０  ハードディスクドライブ（ハードディスク記録手段）
６１  磁気記録媒体
【図１】
2007272319.tif 000003
【図２】
2007272319.tif 000004
【図３】
2007272319.tif 000005
【図４】
2007272319.tif 000006
【図５】
2007272319.tif 000007
【図６】
2007272319.tif 000008
【図７】
2007272319.tif 000009
【図８】
2007272319.tif 000010
【図９】
2007272319.tif 000011
【図１０】
2007272319.tif 000012
【図１１】
2007272319.tif 000013
【図１２】
2007272319.tif 000014
【図１３】
2007272319.tif 000015
【図１４】
2007272319.tif 000016